(57)【要約】      （修正有）【課題】接続電線の仕様に関係無く、引張り方向の張力だけでなく、ねじり方向の張力に対しても接続電線と端子台との接続部分に張力が加わるのを抑制できるようにする空気調和機の室内機を提供する。【解決手段】接続電線２００を挟むように対向配置された電線取付部材１２と電線押さえ具１３とを有し、これら電線取付部材１２と電線押さえ具１３には、互いの対向面にそれぞれ配線方向３００に位置をずらせて配線交差方向に延びる電線押さえ用の突条５０，５１，５２を設け、これら突条５０，５１，５２で接続電線２００を挟持する接続電線固定装置７０において、電線取付部材１２と電線押さえ具１３の少なくとも一方の側の突条は、配線方向で並列する２条以上とし、これら２条以上の突条の少なくとも一つの突条は、突出先端の配線押圧面が平坦面に形成し、他方の側を含む残りの突条は、突出先端が鋭角を成す三角形状に形成する。【選択図】図１１
2016017670.tif 000002
【特許請求の範囲】
【請求項１】
接続電線を挟むように対向配置された電線取付部材と電線押さえ具とを有し、これら電線取付部材と電線押さえ具には、互いの対向面にそれぞれ配線方向に位置をずらせて配線交差方向に延びる電線押さえ用の突条を設け、これら突条で接続電線を挟持する接続電線固定装置において、
前記電線取付部材と前記電線押さえ具の少なくとも一方の側の前記突条は、前記配線方向で並列する２条以上とし、これら２条以上の突条の少なくとも一つの突条は、突出先端の配線押圧面が平坦面に形成されており、他方の側を含む残りの突条は、突出先端が鋭角を成す三角形状に形成されていることを特徴とする接続電線固定装置。
【請求項２】
突出先端が鋭角を成す前記三角形状に形成された突条の先端はＲ取りされていることを特徴とする請求項１記載の接続電線固定装置。
【請求項３】
基板と、接続電線の一方の端部を固定する端子台と、前記端子台に固定された前記接続電線を挟持する接続電線固定装置とを備え、前記接続電線固定装置として請求項１又は２記載の接続電線固定装置を用いたことを特徴とする電装箱。
【請求項４】
熱交換器と、送風ファンと、接続電線の一方の端部を固定する端子台と、前記端子台に固定された前記接続電線を挟持する接続電線固定装置とを備え、前記接続電線固定装置として請求項１又は２記載の接続電線固定装置を用いたことを特徴とする空気調和機の室内機。
【発明の詳細な説明】
【技術分野】
【０００１】
本発明は、引張り方向およびねじり方向の固定力が強い接続電線固定装置、この接続電線固定装置を用いた電装箱、および空気調和機の室内機に関する。
【背景技術】
【０００２】
接続電線固定装置は、一般に端子台と電線取付部材と電線押さえ具とを有し、端子台に挿入した接続電線（例えば内外接続電線や電源線）を、電線取付部材と電線押さえ具との間に狭持している。
【０００３】
すなわち、電線取付部材と電線押さえ具には、接続電線引張り方向（端子台から接続電線を抜く方向）に互いに一定距離離した部位に、配線交差方向に延びる電線押さえ用の突条が複数設けられている。接続電線は、それら突条によって形成されるラビリンス配線路に配線されることで、それら突条の突出先端部分で押さえられ、Ｖ字状あるいはＷ字状に湾曲されて固定されるようになっている。
【０００４】
突条としては、電線取付部材と電線押さえ具に形成された全ての突条の突出先端部の断面形状が四角形状（配線押圧面が平坦面）に形成されたものがある（例えば、特許文献１参照）。
【０００５】
また、電線取付部材と電線押さえ具の突条のうち、一方の側の突条は、突出先端が全て鋭角を成す三角形状、他方の側の突条は、突出先端部の断面形状が全て四角形状（配線押圧面が平坦面）に形成されたものもある（例えば、特許文献１，２参照）。
【０００６】
また、電線取付部材と電線押さえ具に形成された全ての突条の突出先端が鋭角を成す三角形状に形成されたものがあり、近年はこの方式のものが主流となっている（例えば、特許文献３参照）。
【先行技術文献】
【特許文献】
【０００７】
【特許文献１】特開平１０−１４８３５９号公報（図１，図２）
【特許文献２】特開２０１３−０１９６４３号公報（図３〜図５）
【特許文献３】実開昭６１−１５６２７３号公報（図１，図２）
【発明の概要】
【発明が解決しようとする課題】
【０００８】
ところで、電線押さえ用の複数の突条の突出先端部の断面形状が全て四角形状に形成されたものにあっては、突条と接続電線とが面接触するので、突条が延出する配線交差方向（以下、ねじり方向という）に対する固定力が強い。一方、端子台から接続電線を抜く方向（以下、引張り方向または配線方向という）に対しては、固定力が十分には得られないという難点があった。
【０００９】
また、電線取付部材と電線押さえ具の突条のうち、一方の側の突条は、突出先端が全て三角形状、他方の側の突条は、突出先端部の断面形状が全て四角形状に形成されたものにあっては、接続電線の引張り方向に対する固定力をある程度強くすることができるが、ねじり方向に対する固定力と比べると十分ではなかった。
【００１０】
また、電線取付部材と電線押さえ具に形成された全ての突条の突出先端が鋭角を成す三角形状に形成されたものにあっては、突条と接続電線とが線接触するので、接続電線の引張り方向に対する固定力を十分に強くすることができる反面、ねじり方向に対する固定力が十分には得られなくなるという問題があった。
【００１１】
また、国によって接続電線の仕様（線径、断面形状など）は異なっており、接続電線の種類によっては、接続電線の固定力（特にねじり方向）が弱くなり、端子台との接触不良、断線、抜けが発生してしまう恐れがあった。
【００１２】
本発明は、前記のような課題を解決するためになされたもので、接続電線の仕様に関係無く、引張り方向の張力だけでなく、ねじり方向の張力に対しても接続電線と端子台との接続部分に張力が加わるのを抑制できる接続電線固定装置、この接続電線固定装置を用いた電装箱、および空気調和機の室内機を提供することを目的とする。
【課題を解決するための手段】
【００１３】
本発明に係る接続電線固定装置は、接続電線を挟むように対向配置された電線取付部材と電線押さえ具とを有し、これら電線取付部材と電線押さえ具には、互いの対向面にそれぞれ配線方向に位置をずらせて配線交差方向に延びる電線押さえ用の突条を設け、これら突条で接続電線を挟持する接続電線固定装置において、電線取付部材と電線押さえ具の少なくとも一方の側の突条は、配線方向で並列する２条以上とし、これら２条以上の突条の少なくとも一つの突条は、突出先端の配線押圧面が平坦面に形成されており、他方の側を含む残りの突条は、突出先端が鋭角を成す三角形状に形成されているものである。
【発明の効果】
【００１４】
本発明においては、電線取付部材と電線押さえ具のうち一方の側に、突出先端の配線押圧面が平坦面である突条と、接続電線との接触面が線形状である突条とを混在するように設けている。このため、引張り方向の張力だけでなく、ねじり方向の張力に対しても固定力を強くすることができ、多種の接続電線に対して端子台との接続部分に張力が加わるのを抑制することができる。そして、接触不良、断線、抜けを防止することができる。
【図面の簡単な説明】
【００１５】
【図１】本発明の実施の形態に係る接続電線固定装置を用いた空気調和機の室内機の外観を示す斜視図である。
【図２】本発明の実施の形態に係る接続電線固定装置を用いた空気調和機の室内機の全体構成を示す分解斜視図である。
【図３】本発明の実施の形態に係る接続電線固定装置を用いた空気調和機の室内機の側面図である。
【図４】本発明の実施の形態に係る接続電線固定装置を用いた空気調和機の室内機の化粧パネルを除いた状態の側面図である。
【図５】本発明の実施の形態に係る接続電線固定装置を用いた電装箱の分解斜視図である。
【図６】本発明の実施の形態に係る接続電線固定装置を用いた電装箱の電線押さえ具の正面図である。
【図７】本発明の実施の形態に係る接続電線固定装置を用いた電装箱の電線押さえ具を除いた状態の斜視図である。
【図８】本発明の実施の形態に係る接続電線固定装置を用いた電装箱の電線押さえ具を除いて接続電線を接続した状態の斜視図である。
【図９】接続電線を接続する前の図８の電装箱のＺ−Ｚ線矢視断面図である。
【図１０】図９の電装箱のＡ部拡大図である。
【図１１】接続電線を端子台に挿入した時の図９の電装箱のＡ部拡大図である。
【発明を実施するための形態】
【００１６】
以下、図示実施の形態により本発明を説明する。
図１は本発明の実施の形態に係る接続電線固定装置を用いた空気調和機の室内機の外観を示す斜視図である。図２は本発明の実施の形態に係る接続電線固定装置を用いた空気調和機の室内機の全体構成を示す分解斜視図である。図３は本発明の実施の形態に係る接続電線固定装置を用いた空気調和機の室内機の側面図である。図４は本発明の実施の形態に係る接続電線固定装置を用いた空気調和機の室内機の化粧パネルを除いた状態の側面図である。
本発明の実施の形態に係る接続電線固定装置を用いた空気調和機の室内機６０は、図１〜図４に示すように、基台１、送風ファン２、熱交換器３、接続電線固定装置７０を用いた電装箱４、ドレンパンユニット５、および化粧パネル７を有している。基台１には、送風ファン２、熱交換器３、電装箱４、ドレンパンユニット５、および化粧パネル７が装着される。
【００１７】
このようなものにおいて、室内機６０は、送風ファン２によって空気調和機の室内機の上面の吸込み口２０より室内空気を吸い込み、熱交換器３によって熱交換して、冷気または暖気とし、その冷気または暖気を、吹出し口２１より室内へ送風する。冷房運転時に熱交換器３の表面で結露したドレン水は、ドレンパンユニット５に回収される。回収された水は、ドレンホース(図示せず)を流れて室外に排出される。
【００１８】
電装箱４は、室内機６０の正面から見て右側の側面に装着されており、基台１の背面側の爪、送風ファン２の固定部品との爪、およびドレンパンユニット５のフックで固定される。また、電装箱４は、装着後、図１および図３のように、化粧パネル７にて覆われるようになっている。
【００１９】
図５は本発明の実施の形態に係る接続電線固定装置を用いた電装箱の分解斜視図である。図６は本発明の実施の形態に係る接続電線固定装置を用いた電装箱の電線押さえ具の正面図である。図７は本発明の実施の形態に係る接続電線固定装置を用いた電装箱の電線押さえ具を除いた状態の斜視図である。図８は本発明の実施の形態に係る接続電線固定装置を用いた電装箱の電線押さえ具を除いて接続電線を接続した状態の斜視図である。図９は接続電線を接続する前の図８の電装箱のＺ−Ｚ線矢視断面図である。図１０は図９の電装箱のＡ部拡大図である。図１１は接続電線を端子台に挿入した時の図９の電装箱のＡ部拡大図である。なお、説明にあたっては前述の図１〜図３を参照するものとする。
図５〜図８および図１１に示すように、電装箱４は、基板１０と、空気調和機の室内機６０と室外機（図示せず）とを接続する接続電線である内外接続電線２００の一方の端部を固定する端子台１１と、接続電線固定装置７０と、蓋部材３０とを備えている。接続電線固定装置７０は、基板１０と端子台１１と内外接続電線２００とを固定する電線取付部材１２と、電線押さえ具１３と、これら電線取付部材１２および電線押さえ具１３に形成された電線押さえ用の突条５０，５１，５２とを備えている。
【００２０】
端子台１１は、電線取付部材１２に装着された後、ねじ８で固定される。また、端子台１１には、室内機長手方向（以下、この方向をねじり方向３１０（図５）とする）に複数の孔が設けられており、接続電線すなわち内外接続電線２００は、その孔に端部を挿入することで固定される。
【００２１】
電線取付部材１２と電線押さえ具１３は、図９〜図１１に示すように、それぞれ配線方向、つまり端子台１１から内外接続電線２００を抜く方向（以下、この方向を引張り方向３００（図１１）とする）に一定距離だけ離れた部分が、引張り方向３００に沿って平行に配置されて互いに対向する板状の対向面１２ａ，１３ａとして形成されている。対向面１２ａ，１３ａには、配線交差方向（ねじり方向３１０）に延出する電線押さえ用の突条５０，５１，５２が、それぞれ引張り方向３００に位置をずらせて並設されている。突条５０，５１，５２は、いずれも突出方向が板状の対向面１２ａ，１３ａに垂直な方向（以下この方向を垂直方向３２０（図３）とする）となっている。なお、突条５０，５１，５２は、ねじり方向３１０には、長さの制限はない。
内外接続電線２００は、これら突条５０，５１，５２によって形成される引張り方向３００のラビリンス配線路に配線されることで、これら突条５０，５１，５２の突出先端部分で押さえられ（挟持され）、Ｖ字状あるいはＷ字状に湾曲されて固定される。電線押さえ具１３は、電線取付部材１２に装着された後、図示しないねじで固定される。
【００２２】
突条５０，５１，５２について図６〜図１１により更に詳述する。
電線押さえ具１３の対向面１３ａには、引張り方向３００に並列する２条以上（ここでは３条）の２種類の突条５１，５２が混在して形成されている。すなわち、一つの突条５１は、突出先端の断面形状が四角形状（配線押圧面が平坦面）に形成され、それ以外の突条５２は、いずれも突出先端が鋭角を成す三角形状に形成されている。
【００２３】
また、電線取付部材１２の対向面１２ａには、引張り方向３００に並列する１種類で構成された２条の突条５０が形成されている。２条の突条５０のうちの一つの突条５０は、電線押さえ具１３側の２種類の突条５１，５２と引張り方向３００に位置をずらせて、つまり引張り方向３００で突条５１，５２の間に位置するように配置されている。電線取付部材１２側の２条の突条５０は、いずれも電線押さえ具１３側の突条５２と同様に、突出先端が鋭角を成す三角形状に形成されている。
【００２４】
また、突出先端が鋭角を成す三角形状に形成されている電線取付部材１２側の突条５０と電線押さえ具１３側の突条５２とは、内外接続電線２００を保護するために、いずれも先端がＲ取りされている。
【００２５】
このように、本発明の実施の形態に係る接続電線固定装置７０は、内外接続電線２００を挟持する突条５０，５１，５２が、電線押さえ具１３の側に形成されて突出先端の断面形状が四角形状（配線押圧面が平坦面）に形成された突条５１と、同じく電線押さえ具１３の側に形成されて突出先端が鋭角を成す三角形状に形成された突条５２と、電線取付部材１２の側に形成されて突出先端が鋭角を成す三角形状に形成された突条５０とで構成されている。
【００２６】
突出先端が鋭角を成し内外接続電線２００との接触面が線形状である突条５０，５２は、突出先端の配線押圧面が平坦面である突条５１よりも多くの応力を内外接続電線２００に線形状に加えることができ、引張り方向の押さえとして効果的である。
【００２７】
本発明の実施の形態に係る接続電線固定装置７０においては、内外接続電線２００との接触面が線形状である突条５０，５２を、電線取付部材１２と電線押さえ具１３の両方に形成している。このため、内外接続電線２００の引張り方向３００に対する固定力を十分に強くすることができる。
【００２８】
また、突出先端の配線押圧面が平坦面である突条５１は、内外接続電線２００との接触面が線形状である突条５０，５２よりも摩擦力が大きく、内外接続電線２００のねじり方向の押さえとして効果的である。
【００２９】
本発明の実施の形態に係る接続電線固定装置７０においては、電線押さえ具１３の側に、突出先端の配線押圧面が平坦面である突条５１と、内外接続電線２００との接触面が線形状である突条５２とを混在するように設けている。このため、引張り方向３００の張力だけでなく、ねじり方向３１０の張力に対しても固定力を強くすることができ、多種の接続電線（例えば、接続電線が丸い断面形状を有するような多種の内外接続電線）に対して端子台１１との接続部分に張力が加わるのを抑制することができる。そして、接触不良、断線、抜けを防止することができる。
【００３０】
また、本発明の実施の形態によれば、電装箱４に前記接続電線固定装置７０を用いたので、電線接続部の信頼性の高い電装箱４を得ることができる。
【００３１】
また、本発明の実施の形態によれば、空気調和機の室内機６０に前記接続電線固定装置７０を用いたので、電線接続部の信頼性の高い室内機６０を得ることができる。
【００３２】
なお、前述の実施の形態においては、電線押さえ具１３の側に、突出先端の配線押圧面が平坦面である突条５１と、内外接続電線２００との接触面が線形状である突条５２とを混在するように設けたものを例に挙げて説明したが、この異なる種類の突条は、電線取付部材１２の側に設けてもよいものである。
【符号の説明】
【００３３】
１  基台、２  送風ファン、３  熱交換器、４  電装箱、５  ドレンパンユニット、７  化粧パネル、８  ねじ、１０  基板、１１  端子台、１２  電線取付部材、１２ａ，１３ａ  対向面、１３  電線押さえ具、２０  吸込み口、２１  吹出し口、３０  蓋部材、５０，５１，５２  突条、６０  室内機、７０  接続電線固定装置、２００  内外接続電線（接続電線）、３００  引張り方向（配線方向）、３１０  ねじり方向（配線交差方向）、３２０  垂直方向。
【図１】
2016017670.tif 000003
【図２】
2016017670.tif 000004
【図３】
2016017670.tif 000005
【図４】
2016017670.tif 000006
【図５】
2016017670.tif 000007
【図６】
2016017670.tif 000008
【図７】
2016017670.tif 000009
【図８】
2016017670.tif 000010
【図９】
2016017670.tif 000011
【図１０】
2016017670.tif 000012
【図１１】
2016017670.tif 000013